(57)【要約】      （修正有）【課題】バイオディーゼル燃料のための廃食油の利用促進方法を提供する。【解決手段】バイオディーゼル燃料のための廃食油の利用促進方法であって、バイオディーゼル燃料のための廃食油の提供を供給元から受ける段階と、提供を受けた廃食油を利用して、バイオディーゼル燃料を製造する段階と、このバイオディーゼル燃料を製造する段階は、廃食油を低級アルコールでエステル交換反応させるエステル交換反応工程と、エステル交換反応工程で得られる脂肪酸アルキルエステルを精製する燃料精製工程と、燃料精製工程で精製された脂肪酸アルキルエステルを軽油と混合する混合工程とを、有し、さらに、バイオディーゼル燃料を燃料とする車両にバイオディーゼル燃料を提供する段階と、車両の外面に、廃食油の供給元の広告を掲載する段階とを、有することを特徴とする、バイオディーゼル燃料のための廃食油の利用促進方法。【選択図】図５
2010106065.tif 000002
【特許請求の範囲】
【請求項１】
バイオディーゼル燃料のための廃食油の利用促進方法であって、
バイオディーゼル燃料のための廃食油の提供を供給元から受ける段階と、
提供を受けた廃食油を利用して、バイオディーゼル燃料を製造する段階と、
このバイオディーゼル燃料を製造する段階は、
廃食油を低級アルコールでエステル交換反応させるエステル交換反応工程と、 
エステル交換反応工程で得られる脂肪酸アルキルエステルを精製する燃料精製工程と、    
燃料精製工程で精製された脂肪酸アルキルエステルを軽油と混合する混合工程とを、有し、
さらに、バイオディーゼル燃料を燃料とする車両にバイオディーゼル燃料を供給する段階と、
バイオディーゼル燃料が供給された車両に廃食油の供給元の広告を掲載する段階とを、
有することを特徴とする、バイオディーゼル燃料のための廃食油の利用促進方法。
【請求項２】
前記広告掲載段階は、バイオディーゼル燃料により走行中の車両の外面に、廃食油の供給元の広告を掲載する段階を有する、請求項１に記載のバイオディーゼル燃料のための廃食油の利用促進方法。
【請求項３】
前記混合工程において、脂肪酸アルキルエステル中の不飽和脂肪酸を酸化させないように精製された脂肪酸アルキルエステルを所定温度に均一に加熱して融解させつつ、加熱された脂肪酸アルキルエステルと軽油とを、混合中に混合液が目詰まり点より低い温度とならないように混合することにより、脂肪酸アルキルエステルを軽油により所定の重量割合まで希釈する、請求項１に記載のバイオディーゼル燃料のための廃食油の利用促進方法。
【請求項４】
所定温度に加熱融解された脂肪酸アルキルエステルを略雰囲気温度の軽油と混合する際、段階的に混合する、請求項１に記載のバイオディーゼル燃料のための廃食油の利用促進方法。
【請求項５】
前記低級アルコールは、メチルアルコールである、請求項１に記載のバイオディーゼル燃料のための廃食油の利用促進方法。
【請求項６】
前記廃食油は、植物性油脂あるいは動物性油脂である、請求項１に記載のバイオディーゼル燃料のための廃食油の利用促進方法。
【請求項７】
前記廃食油は、パーム油である請求項１に記載のバイオディーゼル燃料のための廃食油の利用促進方法。
【請求項８】
前記廃食油から予め固形物及び/または水分を比重分離によって除去する工程を含む、請求項１に記載のバイオディーゼル燃料のための廃食油の利用促進方法。
【請求項９】
前記エステル交換反応工程は、非酸化触媒を用いて行う、請求項１に記載のバイオディーゼル燃料のための廃食油の利用促進方法。
【請求項１０】
前記非酸化触媒は、水酸化カリウムである、請求項１に記載のバイオディーゼル燃料のための廃食油の利用促進方法。
【請求項１１】
前記燃料精製工程において、精製された脂肪酸アルキルエステルを容器に充填し、容器内で固化状態で密閉保管し、前記混合工程の前に、容器を密閉した状態で、固化した脂肪酸アルキルエステルを容器の外部から加熱することにより、脂肪酸アルキルエステルを融解させる段階を有する、請求項１に記載のバイオディーゼル燃料のための廃食油の利用促進方法。
【発明の詳細な説明】
【技術分野】
【０００１】
本発明は、バイオディーゼル燃料のための廃食油の利用促進方法に関し、より詳細には、油脂原料として廃食油に基づいてバイオディーゼル燃料を製造する場合に、バイオディーゼル燃料のための廃食油の利用を促進することが可能な、バイオディーゼル燃料のための廃食油の利用促進方法に関する。
【背景技術】
【０００２】
昨今、バイオ燃料、特にバイオディーゼル燃料が、以下の理由から注目を集め、その研究開発が行われている。
第1に、バイオディーゼル燃料は、一般的に、植物性油脂または動物性油脂をメタノールと反応させ、メチルエステル化させ、生成された脂肪酸メチルエステルを軽油と所定割合で混合することにより製造される（たとえば、  特許文献１、特許文献２および特許文献３参照）。そのため、硫黄分等を略含有しないため、黒煙などの有害排気ガスの排出量が少なく、環境負荷の少ない燃料である。
第２に、バイオディーゼル燃料は、植物由来であるため、いわゆる「京都議定書」に示された規格上、二酸化炭素の排出がセロカウントとされている。
このように、バイオディーゼル燃料は、環境負荷の少ない軽油代替燃料として注目されているが、欧米に比べ日本においては、その利用は、地方自治体等において限定的に使用されているに過ぎず、また、日本においては、脂肪酸メチルエステルを軽油と混合する重量割合が、規定され、現在最大５％とされている。
【０００３】
最近、バイオディーゼル燃料の原料として用いられる油脂原料として、たとえば、一旦調理用に供された後の廃棄予定の廃食油に注目が集められている。廃食油をバイオディーゼル燃料の原料として再利用できれば、資源の有効活用として好ましい。
しかしながら、このような廃食油は、一般家庭、事業主であるレストラン、食品工場等において生じるところ、本来廃棄予定の廃棄物に相当するものであり、このような廃食油を有効に回収することにより、バイオディーゼル燃料の原料として活用するのは困難である。
より詳細には、昨今まで廃食油は、処理業者により有料にて処分してもらう価値のない廃棄物であったが、バイオディーゼル燃料の原料としての利用可能性に注目が集まりだしており、今後は、逆に、バイオディーゼル燃料の原料として既に有償にて取引されはじめている。
この点において、廃食油の供給元である一般家庭、事業主に対して、廃食油を提供させるインセンティブをなんらかの形で付与することが望まれる。
【特許文献１】特開平７−１９７０４７号
【特許文献２】特開平１０−２４５５８６号
【特許文献３】特開２００２−１６７３５６号   現在（以前より）殆どの廃食油が飼料、肥料の原料として利用されている。将来益々バイオ燃料の原料となるという予測より廃食油は値上がりをしている。廃食油はＣＯ２削減という環境問題への対策として、バイオ燃料としての利用が最も有効である。このような状況でコスト高の廃食油をローコストのバイオ燃料として流通させることができる仕組みが「広告戦略」である。
【発明の開示】
【発明が解決しようとする課題】
【０００４】
以上の技術的課題に鑑み、本発明の目的は、油脂原料として廃食油に基づいてバイオディーゼル燃料を製造する場合に、バイオディーゼル燃料のための廃食油の利用を促進することが可能な、バイオディーゼル燃料のための廃食油の利用促進方法を提供することにある。
【課題を解決するための手段】
【０００５】
上記課題を解決するために、本発明に係るバイオディーゼル燃料のための廃食油の利用促進方法は、
バイオディーゼル燃料のための廃食油の利用促進方法であって、
バイオディーゼル燃料のための廃食油の提供を供給元から受ける段階と、
提供を受けた廃食油を利用して、バイオディーゼル燃料を製造する段階と、
このバイオディーゼル燃料を製造する段階は、
廃食油を低級アルコールでエステル交換反応させるエステル交換反応工程と、 
エステル交換反応工程で得られる脂肪酸アルキルエステルを精製する燃料精製工程と、    
燃料精製工程で精製された脂肪酸アルキルエステルを軽油と混合する混合工程とを、有し、
さらに、バイオディーゼル燃料を燃料とする車両にバイオディーゼル燃料を供給する段階と、
バイオディーゼル燃料が供給された車両に廃食油の供給元の広告を掲載する段階とを、
有する構成としている。
【０００６】
以上の構成を有するバイオディーゼル燃料のための廃食油の利用促進方法によれば、供給元からバイオディーゼル燃料のための廃食油の提供を受けて、エステル交換反応工程において、提供を受けた廃食油を低級アルコールでエステル交換反応させ、次いで、燃料精製工程において、エステル交換反応工程で得られる脂肪酸アルキルエステルを精製し、次いで、混合工程において、燃料精製工程で精製された脂肪酸アルキルエステルを軽油と混合することにより、バイオディーゼル燃料を製造し、製造したバイオディーゼル燃料を、バイオディーゼル燃料を燃料とする車両に供給する場合、廃食油の供給元に関する広告を車両に掲載することにより、廃食油の供給元に対して、本来廃棄される予定であった廃食油の提供に対するインセンティブを付与することが可能であり、これにより、バイオディーゼル燃料のための廃食油の利用を促進することが可能となる。
。
【０００７】
また、前記広告掲載段階は、バイオディーゼル燃料により走行中の車両の外面に、廃食油の供給元の広告を掲載する段階を有するのがよい。
以上の構成を有するバイオディーゼル燃料のための廃食油の利用促進方法によれば、供給元からバイオディーゼル燃料のための廃食油の提供を受けて、エステル交換反応工程において、提供を受けた廃食油を低級アルコールでエステル交換反応させ、次いで、燃料精製工程において、エステル交換反応工程で得られる脂肪酸アルキルエステルを精製し、次いで、混合工程において、燃料精製工程で精製された脂肪酸アルキルエステルを軽油と混合することにより、バイオディーゼル燃料を製造し、製造したバイオディーゼル燃料を、バイオディーゼル燃料を燃料とする車両に供給することにより、車両を走行する際、廃食油の供給元に関する広告を車両の外面に掲載することにより、該広告が一般大衆の目に触れる機会が多く確保されることから、廃食油の供給元に対して、本来廃棄される予定であった廃食油の提供に対するインセンティブを付与することが可能であり、これにより、バイオディーゼル燃料のための廃食油の利用を促進することが可能となる。
【０００８】
さらに、前記混合工程において、脂肪酸アルキルエステル中の不飽和脂肪酸を酸化させないように精製された脂肪酸アルキルエステルを所定温度に均一に加熱して融解させつつ、加熱された脂肪酸アルキルエステルと軽油とを、混合中に混合液が目詰まり点より低い温度とならないように混合することにより、脂肪酸アルキルエステルを軽油により所定の重量割合まで希釈するのがよい。
加えて、所定温度に加熱融解された脂肪酸アルキルエステルを略雰囲気温度の軽油と混合する際、段階的に混合するのがよい。
さらにまた、前記低級アルコールは、メチルアルコールでもよい。
また、前記廃食油は、植物性油脂あるいは動物性油脂でよい。
加えて、前記廃食油は、パーム油でもよい。
さらにまた、前記廃食油から予め固形物及び/または水分を比重分離によって除去する工程を含むのでもよい。
また、前記エステル交換反応工程は、非酸化触媒を用いて行うのがよい。
さらに、前記非酸化触媒は、水酸化カリウムでよい。
加えて、前記燃料精製工程において、精製された脂肪酸アルキルエステルを容器に充填し、容器内で固化状態で密閉保管し、前記混合工程の前に、容器を密閉した状態で、固化した脂肪酸アルキルエステルを容器の外部から加熱することにより、脂肪酸アルキルエステルを融解させる段階を有するのがよい。
【発明の効果】
【０００９】
本発明に係るバイオディーゼル燃料のための廃食油の利用促進方法によれば、供給元からバイオディーゼル燃料のための廃食油の提供を受けて、エステル交換反応工程において、提供を受けた廃食油を低級アルコールでエステル交換反応させ、次いで、燃料精製工程において、エステル交換反応工程で得られる脂肪酸アルキルエステルを精製し、次いで、混合工程において、燃料精製工程で精製された脂肪酸アルキルエステルを軽油と混合することにより、バイオディーゼル燃料を製造し、製造したバイオディーゼル燃料を、バイオディーゼル燃料を燃料とする車両に供給する場合、廃食油の供給元に関する広告を車両に掲載することにより、廃食油の供給元に対して、本来廃棄される予定であった廃食油の提供に対するインセンティブを付与することが可能であり、これにより、バイオディーゼル燃料のための廃食油の利用を促進することが可能となる。
【発明を実施するための最良の形態】
【００１０】
本発明に係るバイオディーゼル燃料のための廃食油の利用促進方法について、油脂原料としての廃食油として植物性油脂、低アルコールとしてメチルアルコールを利用する場合を例として、図面を参照しながら、以下に詳細に説明する。
【００１１】
図１は、本発明の実施形態に係るバイオディーゼル燃料を製造する方法の概略工程を示す図である。図２は、図１のエステル交換反応工程の詳細な工程を示す図である。図３は、脂肪酸アルキルエステルを軽油と混合する混合工程の詳細な工程を示す図である。図４は、図３の第２混合工程に使用される混合攪拌装置の概略構成を示す図である。図５は、バイオディーゼル燃料を燃料とする車両の外面に掲載される、廃食油の供給元に関する広告の例を示す図である。
【００１２】
本発明に係るバイオディーゼル燃料のための廃食油の利用促進方法は、バイオディーゼル燃料のための廃食油の提供を供給元から受ける段階と、提供を受けた廃食油を利用して、バイオディーゼル燃料を製造する段階と、バイオディーゼル燃料を燃料とする車両にバイオディーゼル燃料を供給する段階と、バイオディーゼル燃料が供給された車両に廃食油の供給元の広告を掲載する段階とから概略構成されている。
【００１３】
バイオディーゼル燃料のための廃食油の提供を供給元から受ける段階について、廃食油は、バイオディーゼル燃料の原料として油脂原料として用いられ、油脂原料としては、植物あるいは動物の油脂類、またそれらの廃食油等でよく、植物性油脂としては、パーム油、コーン油、大豆油、菜種油、ごま油、椰子油、向日葵油等、動物性油脂としては、牛油、豚油、魚油等がある。廃食油とは、供給元である家庭、レストラン、ファーストフード店、弁当製造工場等において調理に用いた後に劣化のために廃棄されることとなった動植物油脂を意味する。本発明に使用できる動植物油脂の廃食油としては、例えば天ぷら、トンカツ、フライドチキン等の調理に用いた揚げ油の廃棄品が挙げられるがこれらに限定されない。
【００１４】
複数の供給元から異なる種類の植物性油脂あるいは動植物油脂の提供を受け、それをたとえば、貯留タンクに貯留し、混合廃食油としてバイオディーゼル燃料のための油脂原料として利用してもよいし、単一の供給元から単一種類の植物性油脂あるいは動植物油脂の提供を受け、単一廃食油としてバイオディーゼル燃料のための油脂原料として利用してもよい。
【００１５】
図１に示すように、本発明に係るバイオディーゼル燃料を製造する方法は、油脂原料を低級アルコールでエステル交換反応させるエステル交換反応工程と、エステル交換反応工程で得られる脂肪酸アルキルエステルを精製する燃料精製工程と、燃料精製工程で精製された脂肪酸アルキルエステルを軽油と混合する混合工程とから概略構成されている。
油脂原料は、たとえばフィルタにより油脂原料に含有する固形不純物が濾過されるようにした貯留タンクに貯留するようにしている。
エステル交換反応工程は、従来既知の方法でよく、図２に示すように、触媒溶液の調整工程、触媒を含有するアルコール溶液を油脂原料と混合するエステル反応混合工程、およびエステル反応混合工程で生成した反応混合液から過剰のアルコールを減圧留去する工程とから概略構成される。
【００１６】
エステル交換反応工程において、油脂原料は、所定の水分含有量（たとえば、０．０５％以下）、所定の臭気物含有量（たとえば、０．０１％以下）となるように、熱交換器、脱水器および脱臭塔（いずれも図示せず）を用いて、前もって加熱処理および減圧処理される。
触媒溶液の調整工程においては、たとえば溶解攪拌槽（図示せず）が用いられ、軽量されたアルコールが溶解攪拌槽内へ供給され、アルコールを攪拌しながら、触媒を所定の割合で溶解攪拌槽内に供給し、触媒がアルコールに溶解するようにバッチ調整している。
触媒溶液の調整工程において用いられる触媒は、アルカリ塩、水酸化ナトリウム、水酸化カリウム等のアルカリ金属塩の水酸化物等であるが、特に水酸化カリウムが好ましく、一方、アルコールとしては、メチルアルコール、プロピルアルコールその他の低級アルコールでよい。
【００１７】
エステル反応混合工程においては、たとえば反応混合タンク（図示せず）が用いられ、そこで触媒含有アルコール溶液が、上述のように前処理済みの油脂原料と連続的に混合されるようにしている。
減圧留去工程においては、エステル反応混合工程において生成された反応混合液から過剰のアルコールを減圧留去するようにしており、過剰のアルコールが減圧留去された反応混合液は、次工程の燃料精製工程において、たとえば吸着剤あるいはフィルター等を用いて処理され、バイオディーゼル燃料とされる。
【００１８】
燃料精製工程においては、たとえば遠心分離方式を用いて、アルキルエステルとグリセリンとを分離することにより、目的生成物であるアルキルエステルを得るようにしている。
以上のような、従来既知の工程により、所望のエステル転化率および酸価を達成することが可能である。
【００１９】
図３に示すように、脂肪酸アルキルエステルを軽油と混合する混合工程は、脂肪酸アルキルエステルの加熱融解工程と、融解した脂肪酸アルキルエステル溶解を少量の軽油と混合する第１混合工程と、第１混合工程において生成した混合液を大量の軽油と混合する第２混合工程とから概略構成される。
【００２０】
脂肪酸アルキルエステルの加熱融解工程において、エステル交換反応工程で生成した脂肪酸アルキルエステルは、スチールドラム缶内に所定量充てんされ、サーモスタット等により温度制御しながら、スチールドラムの外周部にバンドヒータを巻いて、それにより均一に加熱維持するようにしている。このように、スチールドラム缶内で固化状態の脂肪酸アルキルエステルは、スチールドラム缶を密閉状態で保管しておくことにより、缶内の脂肪酸アルキルエステルの酸化の促進を防止することが可能であるとともに、スチールドラムの外部から外部加熱することにより、脂肪酸アルキルエステルを融解するに際し、酸化の促進を抑制することが可能である。この場合、脂肪酸アルキルエステルの加熱温度は、軽油と混合する際、混合液が目詰まり点以下とならないようにする観点からは高温度が好ましいが、一方であまり温度を上げると不飽和脂肪酸が酸化して、析出物を生成するので、これらの両方を満足するように定めるのが好ましい。また、脂肪酸アルキルエステルを所定温度に加熱する際、光および空気中の酸素に極力触れないように略密閉状態で融解するのがよい。
【００２１】
第１混合工程において、脂肪酸アルキルエステルを重量割合で５０％となるように、雰囲気温度に保管された軽油と混合している。
図４は、第２混合工程に用いられる混合攪拌装置を示す概略図である。混合攪拌装置１０は、軽油が充てんされた大容量タンク１２と、大容量タンク１２の上部に設置された攪拌機１４と、大容量タンク１２の下部排出口１６と、大容量タンク１２の上部流入口１８とを連絡する循環配管２０と、循環配管２０の途中で、下部排出口１６近傍に設置されたストレーナ２２と、ストレーナ２２の下流側に設置されたポンプ２４とから概略構成されている。  
攪拌機は、大容量タンク１２内で下部と中間部にそれぞれ、タンク１２の上下中心軸線を中心に回転可能な攪拌羽根２６を有し、攪拌羽根２６が回転することにより、大容量タンク１２内の溶液を均一に攪拌混合するようにしている。
【００２２】
このような構成により、第１混合工程において生成された５０％混合液を大容量タンク１２に充てんし、大容量タンク１２内の軽油とさらに混合し、このような混合液をポンプ２４により循環配管２０を通じて、循環させつつ大容量タンク１２内で混合攪拌するようにしている。
このようなバイオディーゼル燃料を製造する方法によれば、脂肪酸アルキルエステル中の不飽和脂肪酸を酸化させないようにしつつ、脂肪酸アルキルエステル中の飽和脂肪酸については、脂肪酸アルキルエステルと軽油とを混合する際、目詰まり点以下とならないように温度管理しながら混合することにより、不溶解物を析出させることなくバイオディーゼル燃料として確実に使用可能なバイオディーゼル燃料の製造方法を提供することが可能である。
【００２３】
特に、冬季においては、燃料精製工程において精製される脂肪酸アルキルエステルは容器内で自然に固化するため、容器を密閉して保管することにより、脂肪酸アルキルエステルの酸化の促進を防止することが可能である一方、混合工程の前に、容器内の固化状態の脂肪酸アルキルエステルを容器の外から外部加熱することにより、脂肪酸アルキルエステルを融解することで、酸化の促進を抑制し、さらに混合工程において、低い雰囲気温度において、混合中に混合液が目詰まり点より低い温度とならないように混合することにより、不溶解物の析出を有効に防止することが可能となる。
【００２４】
次いで、このようにして製造されたバイオディーゼル燃料を、たとえばディーゼルエンジンで駆動されるバスに供給するとともに、このバスの外面に、図５に示すように、廃食油の供給元の広告を掲載する。図５において、廃食油の供給元のロゴ（ＡＢＣ）,本社住所、電話番号およびホームぺージアドレスを掲載することにより、一般道路を走行中のバスの外面、たとえばバスの側面に掲載された広告を舗道にいる一般大衆が目にすることにより、高い広告効果を有する広告の掲載を行うことが可能である。特に、昨今の環境問題に鑑み、単に供給元の会社名を掲載する場合に比べ、このような広告内容は、環境問題に積極的に協力している事業主として、供給元のブランドイメージをより一層高めることにつながる。
【００２５】
以上の構成を有するバイオディーゼル燃料のための廃食油の利用促進方法によれば、供給元からバイオディーゼル燃料のための廃食油の提供を受けて、エステル交換反応工程において、提供を受けた廃食油を低級アルコールでエステル交換反応させ、次いで、燃料精製工程において、エステル交換反応工程で得られる脂肪酸アルキルエステルを精製し、次いで、混合工程において、燃料精製工程で精製された脂肪酸アルキルエステルを軽油と混合することにより、バイオディーゼル燃料を製造し、製造したバイオディーゼル燃料を、バイオディーゼル燃料を燃料とする車両に供給することにより、車両を走行する際、廃食油の供給元に関する広告を車両の外面に掲載することにより、該広告が一般大衆の目に触れる機会が多く確保されることから、廃食油の供給元に対して、本来廃棄される予定であった廃食油の提供に対するインセンティブを付与することが可能であり、これにより、バイオディーゼル燃料のための廃食油の利用を促進することが可能となる。
【００２６】
特に、複数の供給元から異なる種類の廃食油の提供を受けた場合、それらを混合した混合廃食油に基づいてバイオディーゼル燃料を製造する場合、混合廃食油にどんな種類の不飽和脂肪酸、飽和脂肪酸がどれほど含有されているか不明な場合もあることから、このような場合には、混合工程において、析出物が生じないように製造するとともに、それぞれの供給元について車両の外面に広告を掲載するのがよい。
【００２７】
また、変形例として、複数の供給元から、異なる種類の廃食油の提供を受けて、それを混合した混合廃食油に基づいて、バイオディーゼル燃料を製造する場合には、製造したバイオディーゼル燃料をたとえば、一定の走行経路を往復する運送バスに提供するときには、複数の供給元から、この運送バスが走行する領域内の供給元を選択して、その供給元の広告をバスに掲載することにより、地域に密着した供給元が大衆の目に触れることから、より広告効果を高めることが可能となる。さらに、このような混合廃食油の場合、含有される不飽和脂肪酸、あるいは飽和脂肪酸の種類および含有割合が不明となるため、本実施形態で説明したような製造方法がより一層技術的意義を有し、析出物を生じないようにバイオディーゼル燃料を製造することが可能となる。
【００２８】
以上、本発明の実施形態を詳細に説明したが、本発明の範囲から逸脱しない範囲内において、当業者であれば種々の修正あるいは変更が可能である。たとえば、本実施形態においては、廃食油に基づいて製造されたバイオディーゼルを燃料とする車両として、公共的な車両であるバスを例としたが、それに限定されることなく、ディーゼルエンジンを駆動源とする搬送用トラック、鉄道車両等にも適用可能である。また、本実施形態においては、廃食油の供給元の広告を走行中の車両の外面に掲載する場合を説明したが、それに限定されることなく、たとえば、車両の外面とともに、車内に広告を掲載してもよい。この場合、車内の広告であれば、走行中の車両の外面に掲載された広告を一般通路の大衆が目にする場合に比べ、車内の乗客等がじっくりと広告を読む時間を確保することが可能であることから、絵やイラストだけの広告のみならず、文字を使って、語句、場合により文章を利用して、広告を行ってもよい。さらに、車外および車内の両方に広告を掲載してもよい。
【００２９】
さらにまた、本実施形態においては、油脂原料として、パーム油、低級アルコールとして、メチルアルコールの場合を説明したが、それに限定されることなく、油脂原料として、動物性油脂、あるいは廃棄油脂でもよい。また、脂肪酸アルキルエステルを軽油と混合する重量割合を５％以下として、二段階で混合する場合を説明したが、それに限定されることなく、製造するバイディーゼル燃料の量、軽油が保管された雰囲気温度等に応じて、適宜多段階で混合するのでもよい。また、バイオディーゼル燃料を燃料とする車両にバイオディーゼル燃料を供給し、バイオディーゼル燃料が供給された車両に供給元の広告を掲載する場合を説明したが、それに限定されることなく、脂肪酸アルキルエステルを軽油と混合する重量割合を１００％未満とし、その供給されたバイオディーゼル燃料を燃料として燃焼の用に供する車両以外の装置の外面またはその近傍に掲載する広告とするのでもよい。また、本実施形態においては、製造した脂肪酸アルキルエステルをいったん容器内で固化し、密閉状態で保管し、混合工程直前に、外部加熱により融解させる場合を説明したが、これに限定されることなく、脂肪酸アルキルエステル中の不飽和脂肪酸を酸化させないようにする限り、脂肪酸アルキルエステルの燃料精製工程と、脂肪酸アルキルエステルの軽油との混合工程とをバッチ処理的に行う必要はなく、オンライン処理をすることも可能である。
【産業上の利用可能性】
【００３０】
本発明に係るバイオディーゼル燃料のための廃食油の利用促進方法によれば、供給元からバイオディーゼル燃料のための廃食油の提供を受けて、エステル交換反応工程において、提供を受けた廃食油を低級アルコールでエステル交換反応させ、次いで、燃料精製工程において、エステル交換反応工程で得られる脂肪酸アルキルエステルを精製し、次いで、混合工程において、燃料精製工程で精製された脂肪酸アルキルエステルを軽油と混合することにより、バイオディーゼル燃料を製造し、製造したバイオディーゼル燃料を、バイオディーゼル燃料を燃料とする車両に供給する場合、廃食油の供給元に関する広告を車両に掲載することにより、廃食油の供給元に対して、本来廃棄される予定であった廃食油の提供に対するインセンティブを付与することが可能であり、これにより、バイオディーゼル燃料のための廃食油の利用を促進することが可能となり、本来廃棄物とされていた資源の再利用を図ることが可能となる点において、産業上の利用可能性を有する。
【図面の簡単な説明】
【００３１】
【図１】本発明の実施形態に係るバイオディーゼル燃料を製造する方法の概略工程を示す図である。
【図２】図１のエステル交換反応工程の詳細な工程を示す図である。
【図３】脂肪酸アルキルエステルを軽油と混合する混合工程の詳細な工程を示す図である。
【図４】図３の第２混合工程に使用される混合攪拌装置の概略構成を示す図である。
【図５】バイオディーゼル燃料を燃料とする車両の外面に掲載される、廃食油の供給元に関する広告の例を示す図である。
【符号の説明】
【００３２】
１０  混合攪拌装置
１２  大容量タンク
１４  攪拌機
１６  排出口
１８  流入口
２０  循環配管
２２  ストレーナ
２４  ポンプ
２６  攪拌羽根
【図１】
2010106065.tif 000003
【図２】
2010106065.tif 000004
【図３】
2010106065.tif 000005
【図４】
2010106065.tif 000006
【図５】
2010106065.tif 000007